(57)【特許請求の範囲】
【請求項１】
取出可能に装填された記録媒体に書込手段が書き込むデータを記録する記録手段と、
前記書込手段が書き込んだデータを前記記録手段から読み出すことを禁止する禁止手段と
を備える記録装置において、
前記記録媒体の取出要求を受け付ける要求受付手段と、
該要求受付手段が要求を受け付けた場合に、前記記録媒体の取り出しを実行するか又は前記書込手段による書き込みを取消すかの選択を受け付ける選択受付手段と、
該選択受付手段が取り出しを実行する選択を受け付けた場合、前記禁止手段により読み出しが禁止されたデータを消去する消去手段と、
前記選択受付手段が書き込みを取消す選択を受け付けた場合、前記禁止手段による禁止を解除する解除手段、及び、前記書込手段が書き込んだデータを前記記録媒体から読み出すことを不可能にする読出不可手段と
を備えることを特徴とする記録装置。
【請求項２】
前記記録媒体は、データ及び該データを識別する識別情報を記録する構成としてあり、
前記読出不可手段は、
前記記録媒体に書き込んだデータを識別不能にする識別情報を書き込む構成としてあることを特徴とする請求項１に記載の記録装置。
【請求項３】
前記書込手段は、
データが書き込まれた記録媒体へデータを上書きすることが不可能な構成としてあることを特徴とする請求項１又は２に記載の記録装置。
【請求項４】
前記書込手段は、
データが書き込まれた記録媒体へデータを上書きすることが可能な構成としてあることを特徴とする請求項１又は２に記載の記録装置。
【請求項５】
前記禁止手段は、
前記書込手段が書き込みを開始する場合、前記書込手段が書き込むべき全データの読み出しを禁止する構成としてあり、
前記書込手段が書き込みを中断したか否かを判定する判定手段と、
該判定手段が中断したと判定し、前記選択受付手段が取り出しを実行する選択を受け付けた場合、前記書込手段による書き込みが実行されたデータを消去するデータ消去手段と、
前記判定手段が中断したと判定し、前記選択受付手段が取り出しを実行する選択を受け付けた場合、前記書込手段による書き込みが未実行のデータを読み出し可能に復元する復元手段と
をさらに備えることを特徴とする請求項１から４の何れか一つに記載の記録装置。
【請求項６】
前記書込手段は、
前記記録手段に記録されたデータを所定回数書込み可能であって、
前記消去手段は、
前記書込手段がデータを所定回数書き込んだ場合に前記データを消去する構成としてあることを特徴とする請求項１から５の何れか一つに記載の記録装置。
【請求項７】
取出可能に装填された記録媒体に書込手段が書き込むデータを記録する記録手段と、
前記書込手段が書き込みしたデータを、前記記録手段から読み出すことを禁止する禁止手段と
を備える記録装置の記録制御方法において、
前記記録媒体の取出要求を受け付けるステップと、
前記要求を受け付けた場合に、前記記録媒体の取り出しを実行するか又は前記書込手段による書き込みを取消すかの選択を受け付けるステップと、
取り出しを実行する選択を受け付けた場合、前記禁止手段により読み出しが禁止されたデータを消去するステップと、
書き込みを取消す選択を受け付けた場合、前記禁止手段による禁止を解除し、前記書込手段が書き込んだデータを前記記録媒体から読み出すことを不可能にするステップと
を備えることを特徴とする記録装置の記録制御方法。
【請求項８】
記録媒体を取出可能に装填可能なコンピュータに、記録手段に記録したデータを装填された記録媒体に書き込みさせ、書き込ませたデータを、前記記録手段からの読み出しを禁止させるためのコンピュータプログラムにおいて、
前記コンピュータを、
前記記録媒体の取出要求を受け付け、さらに前記記録媒体の取り出しを実行する選択を受け付けた場合に、読み出しが禁止されたデータを消去する消去手段と、
前記記録媒体の取出要求を受け付け、さらに前記書込み手段による書き込みを取消す選択を受け付けた場合に、データの読み出し禁止を解除する解除手段、及び、前記記録媒体に書き込んだデータを該記録媒体から読み出すことを不可能にする読出不可手段と
として機能させることを特徴とするコンピュータプログラム。
【発明の詳細な説明】
【技術分野】
【０００１】
本発明は、記録媒体に書き込むデータを記録する記録装置、記録装置の記録制御方法及びコンピュータプログラムに関する。
【背景技術】
【０００２】
著作権保護がされているデータ、例えばデジタルテレビ放送（以下、デジタル放送と言う）の番組データは、録画装置のハードディスク（ＨＤＤ）に記録することは可能であっても、その後の複製は禁止されている。このため、ＨＤＤに記録した番組データを光ディスクに移動した場合、移動し終えた後にＨＤＤ内の元データは消去される。この場合、元データは、移動後のデータにノイズが入るなど正常に移動できなかった場合であっても、ＨＤＤから消去され、復元不可能となり、番組データを視聴することができなくなる。
【０００３】
特許文献１には、著作権保護されたデータを他の記録装置に移動する際、他の記録装置側の障害等でデータの移動に失敗した場合でも、元のデータを復元してデータ消失を防止することができる装置が記載されている。特許文献１の装置は、著作権保護されたデータの移動時に、暗号化された複写データを保持する。そして、移動後のデータの検証を行ない、移動時の障害等により移動後のデータが不良の場合は、移動後のデータを無効とし、複写データから元データを復元する。これにより、著作権保護を行いながら、元データの消失を防止する。移動後のデータが正常であれば元データ及び複写データを破棄する。
【特許文献１】特開２００５−２５０５６７号公報
【発明の開示】
【発明が解決しようとする課題】
【０００４】
特許文献１の装置により、移動後のデータが不良で再生できない又は移動による品質の劣化といった問題を解消することができる。しかしながら、特許文献１では、記録装置の残容量が少ない場合、他のデータを消去するか、又は、複写データを記録するための領域を確保する必要がある。また、元データを暗号化して記録する必要があるため、処理時間が増加するといった問題が新たに発生する。
【０００５】
本発明は斯かる事情に鑑みてなされたものであり、その目的とするところは、余計な記録領域を確保することなく、記録媒体へのデータの書き込みが失敗した場合であっても、元のデータを復元でき再度書き込みを実行できる記録装置、記録装置の記録制御方法及びコンピュータプログラムを提供することにある。
【課題を解決するための手段】
【０００６】
本発明に係る記録装置は、取出可能に装填された記録媒体に書込手段が書き込むデータを記録する記録手段と、前記書込手段が書き込んだデータを前記記録手段から読み出すことを禁止する禁止手段とを備える記録装置において、前記記録媒体の取出要求を受け付ける要求受付手段と、該要求受付手段が要求を受け付けた場合に、前記記録媒体の取り出しを実行するか又は前記書込手段による書き込みを取消すかの選択を受け付ける選択受付手段と、該選択受付手段が取り出しを実行する選択を受け付けた場合、前記禁止手段により読み出しが禁止されたデータを消去する消去手段と、前記選択受付手段が書き込みを取消す選択を受け付けた場合、前記禁止手段による禁止を解除する解除手段、及び、前記書込手段が書き込んだデータを前記記録媒体から読み出すことを不可能にする読出不可手段とを備えることを特徴とする。
【０００７】
本発明に係る記録装置は、前記記録媒体は、データ及び該データを識別する識別情報を記録する構成としてあり、前記読出不可手段は、前記記録媒体に書き込んだデータを識別不能にする識別情報を書き込む構成としてあることを特徴とする。
【０００８】
本発明に係る記録装置は、前記書込手段は、データが書き込まれた記録媒体へデータを上書きすることが不可能な構成としてあることを特徴とする。
【０００９】
本発明に係る記録装置は、前記書込手段は、データが書き込まれた記録媒体へデータを上書きすることが可能な構成としてあることを特徴とする。
【００１０】
本発明に係る記録装置は、前記禁止手段は、前記書込手段が書き込みを開始する場合、前記書込手段が書き込むべき全データの読み出しを禁止する構成としてあり、前記書込手段が書き込みを中断したか否かを判定する判定手段と、該判定手段が中断したと判定し、前記選択受付手段が取り出しを実行する選択を受け付けた場合、前記書込手段による書き込みが実行されたデータを消去するデータ消去手段と、前記判定手段が中断したと判定し、前記選択受付手段が取り出しを実行する選択を受け付けた場合、前記書込手段による書き込みが未実行のデータを読み出し可能に復元する復元手段とをさらに備えることを特徴とする。
【００１１】
本発明に係る記録装置は、前記書込手段は、前記記録手段に記録されたデータを所定回数書込み可能であって、前記消去手段は、前記書込手段がデータを所定回数書き込んだ場合に前記データを消去する構成としてあることを特徴とする。
【００１２】
本発明に係る記録装置の記録制御方法は、取出可能に装填された記録媒体に書込手段が書き込むデータを記録する記録手段と、前記書込手段が書き込みしたデータを、前記記録手段から読み出すことを禁止する禁止手段とを備える記録装置の記録制御方法において、前記記録媒体の取出要求を受け付けるステップと、前記要求を受け付けた場合に、前記記録媒体の取り出しを実行するか又は前記書込手段による書き込みを取消すかの選択を受け付けるステップと、取り出しを実行する選択を受け付けた場合、前記禁止手段により読み出しが禁止されたデータを消去するステップと、書き込みを取消す選択を受け付けた場合、前記禁止手段による禁止を解除し、前記書込手段が書き込んだデータを前記記録媒体から読み出すことを不可能にするステップとを備えることを特徴とする。
【００１３】
本発明に係るコンピュータプログラムは、記録媒体を取出可能に装填可能なコンピュータに、記録手段に記録したデータを装填された記録媒体に書き込みさせ、書き込ませたデータを、前記記録手段からの読み出しを禁止させるためのコンピュータプログラムにおいて、前記コンピュータを、前記記録媒体の取出要求を受け付け、さらに前記記録媒体の取り出しを実行する選択を受け付けた場合に、読み出しが禁止されたデータを消去する消去手段と、前記記録媒体の取出要求を受け付け、さらに前記書込み手段による書き込みを取消す選択を受け付けた場合に、データの読み出し禁止を解除する解除手段、及び、前記記録媒体に書き込んだデータを該記録媒体から読み出すことを不可能にする読出不可手段ととして機能させることを特徴とする。
【００１４】
本発明においては、記録手段に記録したデータを装填された記録媒体に書き込み、書き込みしたデータを記録手段から読み出せないようにする。そして、記録媒体の取り出し要求を受け付けたときに、記録媒体の取り出しを実行するか又はデータの書き込みを取消すかの選択を受け付ける。記録媒体の取り出しを実行する場合は、記録手段から書き込みしたデータを削除する。書き込みを取消す場合は、データを読み出し可能に復元すると共に、記録媒体に書き込みしたデータを読み取り不可能にする。
【００１５】
本発明においては、記録媒体は、データ及び該データを識別する識別情報を記録しており、データを記録媒体から読み出し不可能にする場合、記録媒体に記録されるデータを識別不能にする識別情報を書き込む。
【００１６】
本発明においては、データが書き込まれた記録媒体へデータを上書きすることが不可能である。即ち、記録媒体は、ＤＶＤ−Ｒ又はＣＤ−Ｒなどである。
【００１７】
本発明においては、データが書き込まれた記録媒体へデータを上書きすることが可能である。即ち、記録媒体は、ＤＶＤ（Digital Versatile Disc）−ＲＷ又はＣＤ（Compact Disc）−ＲＷなどである。
【００１８】
本発明においては、書き込みが中断し、記録媒体の取り出しを実行する選択を受け付けた場合、書き込みが実行されたデータを消去し、書き込みが未実行のデータを読み出し可能に復元する。これにより、書き込みできなかったデータのみ復元することができる。
【００１９】
本発明においては、記録手段に記録されたデータを所定回数書込み可能であって、データを所定回数書き込んだ場合にデータを消去する。即ち、記録手段に記録されたデータは、複製回数が制限されており、所謂著作権保護されたデータであっても、失敗が少ないデータの書き込みを行うことができる。
【発明の効果】
【００２０】
本発明は、記録媒体の取り出しを実行するか又は書き込みを取消すかの選択を受け付け、受け付けた結果に基づいて、記録手段のデータを消去し、又は、記録媒体に書き込んだデータを読出不可とする。これにより、一度記録媒体にデータを書き込んだ場合、他の記録媒体にデータを書き込むことができなくなり、データの複製を防止できる。また、記録媒体への書き込みを失敗した場合であっても、書き込みを取消すことで記録手段にはデータが記録されたままであるため、再度書き込みを行うことができ、不良データの書き込み又は書き込み失敗によりデータが失われることを防止できる。また、復元するデータは記録手段とは別の領域に記録する必要がないので、記録手段の他に記録領域を確保する必要がない。
【発明を実施するための最良の形態】
【００２１】
以下、本発明に係る記録装置の好適な第１及び第２の実施の形態について図面を参照して説明する。第１及び第２の実施の形態では、本発明に係る記録装置を、デジタル放送の番組コンテンツを録画及び再生でき、また、録画した番組コンテンツを光ディスクに書き込むことができる録画再生装置として説明する。
【００２２】
（第１の実施形態）
図１は、本実施の形態に係る録画再生装置の構成を示すブロック図である。本実施の形態に係る録画再生装置１は、装置全体を制御するＣＰＵ２、ＲＯＭ（Read Only Memory）３、ＲＡＭ（Random Access Memory）４、チューナ５、信号処理部６、ＨＤＤ７、入出力部８、装填部９、書込部１０、読取部１１、及びイジェクトスイッチ（以下、イジェクトＳＷと言う）１２などを備えている。ＲＯＭ３は、ＥＰＲＯＭ（Erasable and Programmable ROM）又はフラッシュメモリ等であり、ＣＰＵ２が実行するプログラムを記憶する。ＲＡＭ４は、ＣＰＵ２が処理を行うために必要な情報を一時的に記憶する。
【００２３】
チューナ５は、アンテナ５ａを介してデジタル放送信号を受信する。チューナ５は、アンテナ５ａにおいて周波数変換された信号を受信し、ＣＰＵ２が出力した受信チャンネルデータに基づいて、映像音声データを含む高周波デジタル変調信号のうちから特定の周波数の信号を選択する。即ち、チューナ５は、指定チャンネルに基づき、複数の放送信号から一つの放送信号を選択する処理を行う。
【００２４】
信号処理部６は、チューナ５から出力された信号から、ＭＰＥＧ２（Moving Picture Experts Group2）のビデオストリーム及びオーディオストリーム（以下、ＡＶストリームと言う）を取得する。ＨＤＤ７は、信号処理部６において取得されたＡＶストリームを映像音声データ（以下、ＡＶデータと言う）として記録する。入出力部８は、テレビ２０に接続されており、信号処理部６において取得されたＡＶストリーム、ＨＤＤ７に記録されたＡＶデータ及び録画再生装置１の操作に関する情報等をテレビ２０に出力する。また、入出力部８は、ＨＤＭＩ（High−Definition Multimedia Interface）が用いられていている。ＨＤＭＩは、映像信号及び音声信号の他に、各機器に対して制御信号も送信できるため、録画再生装置１からテレビ２０を操作し、又は、テレビ２０から録画再生装置１を操作するなど、各機器間の連携を容易にすることが可能となる。録画再生装置１は、図示しないリモートコントローラにより、操作可能としてもよい。
【００２５】
装填部９は、光ディスク１５を取り出し可能に装填する。装填部９は、イジェクトＳＷ１２が操作されることで、光ディスク１５を排出する。書込部１０は、装填部９に装填された光ディスク１５から各データの読み込みを行う。読取部１１は、装填部９に装填された光ディスクにＨＤＤ７に記録されたＡＶデータの書き込みを行う。
【００２６】
以下の説明において、光ディスク１５は、テレビ番組及び映画等のような大量のＡＶデータを記録することができるＤＶＤとして説明する。ＤＶＤ１５は、１回のみデータの記録が可能なＤＶＤ−Ｒ（又はＤＶＤ＋Ｒ）、及び、規定回数データの書き換え可能なＤＶＤ−ＲＷ（又はＤＶＤ＋ＲＷ）などの種類がある。
【００２７】
図２は、ＤＶＤの仕組みを説明するための模式図であり、（ａ）は、記録方向を示す図、（ｂ）は、データの記録方法を説明するための図である。
【００２８】
ＤＶＤ１５は、図２（ａ）において矢印で示すように、ディスクの内周から外周に向かって螺旋状にＡＶデータが書き込まれる。ＡＶデータが書き込まれた場合、ＤＶＤ１５には、図２（ｂ）に示すように、ＡＶデータ記録領域と、ファイルシステム記録領域（以下、ＦＳ記録領域と言う）とディスクの内周から外周に向かって螺旋状に交互に形成される。ＡＶデータ記録領域には、録画再生装置１から書き込まれたＡＶデータが記録される。ＦＳ記録領域には、ＡＶデータを管理するファイルシステムが記録される。ファイルシステムは、ＡＶデータと共に録画再生装置１により書き込まれ、ＡＶデータ記録領域のアドレス及びＡＶデータのタイトル等を有し、ディスクの何処の領域に何のＡＶデータが記録されているかを識別し管理する管理情報である。
【００２９】
なお、図示しないが、ディスクの最内周には、ＤＶＤ１５の読み取り時に、ディスクの種類（ＤＶＤ−Ｒ及びＤＶＤ−ＲＷなど）を判断するための制御情報が記録されている。
【００３０】
本実施の形態に係るデジタル放送の番組コンテンツは、著作権保護がなされており、複製が禁止されている。このため、録画再生装置１は、デジタル放送を受信し、番組コンテンツのＡＶデータをＨＤＤ７に記録した場合、ＡＶデータを一回に限りＤＶＤ１５に書き込むことができ、以降は同じＡＶデータを他のＤＶＤに書き込むことができない。また、録画再生装置１は、ＡＶデータのＤＶＤ１５への書き込み後、ＡＶデータをＨＤＤ７から消去する。即ち、番組コンテンツのＡＶデータは、ＨＤＤ７又はＤＶＤ１５の何れか一方だけに記録される。
【００３１】
図３は、ＤＶＤ１５に書き込むＡＶデータを選択する選択画面を示す図であり、（ａ）は、ＡＶデータのＤＶＤ１５への書き込み前、（ｂ）は、書き込み後を示す図である。
【００３２】
例えば、タイトル「ドラマＡ」、「ドラマＢ」、「ドラマＣ」、及び「ドラマＤ」のＡＶデータをＨＤＤ７に記録している場合、録画再生装置１は、テレビ２０の画面にＡＶデータの各タイトルを選択可能に表示する。そして、録画再生装置１は、選択画面で選択されたタイトルのＡＶデータをＨＤＤ７から読み出し、ＤＶＤ１５に書き込む。この場合において、「ドラマＣ」のＡＶデータがＤＶＤ１５に書き込まれた場合、録画再生装置１は、図３（ｂ）に示すように、「ドラマＣ」を選択画面に表示させない。従って、ユーザによりタイトル「ドラマＣ」が選択されることはなく、録画再生装置１において「ドラマＣ」のＡＶデータをＤＶＤ１５に書き込むことができなくなる。
【００３３】
なお、テレビ２０で再生するＡＶデータを選択する画面も図３と同様であり、再生可能なタイトルが選択可能に表示される。そして、一度ＤＶＤ１５に書き込みしたＡＶデータは、ＨＤＤ７から消去され、タイトルが画面に表示されなくなるため、同じＡＶデータをテレビ２０で再生することができなくなる。
【００３４】
また、本実施の形態では、録画再生装置１は、ＡＶデータを書き込みしたＤＶＤ１５が取り出されるとき、具体的には、イジェクトＳＷ１２が操作されたときに、ＡＶデータの書き込みを取消すか否かの選択を行う選択画面をテレビ２０の画面に表示する。
【００３５】
図４は、ＡＶデータの書き込みを取消すか否かの選択画面を示す図である。選択画面には、書き込みを取消さずにＤＶＤ１５の取り出しを実行する「取出」ボタン、書き込みを取消す「取消」ボタン、ＤＶＤ１５を取り出す旨のメッセージ、「取出」ボタンが選択された場合の処理内容、「取消」ボタンが選択された場合の処理内容、及び「取消」ボタンを選択した場合、「−Ｒ」ディスクが使用できなくなる旨のメッセージが表示される。なお、「取消」及び「取出」ボタンの選択は、テレビ２０において行われ、テレビ２０から入出力部８を介して入力される。
【００３６】
「取出」ボタンが選択された場合、即ち、書き込みを取消さない場合、録画再生装置１は、ＤＶＤ１５を装填部９から排出すると共に、ＤＶＤ１５に書込みしたＡＶデータをＨＤＤ７から消去する。この場合、録画再生装置１においてＡＶデータを復元することができなくなり、ＤＶＤ１５へ書込みしたＡＶデータは、録画再生装置１において再生し、また、他のＤＶＤへの書き込みができなくなる。また、「取消」ボタンが選択された場合、即ち、書き込みを取消す場合、録画再生装置１は、ＤＶＤ１５に書き込みしたＡＶデータをＨＤＤ７から消去せず、ＤＶＤ１５からＡＶデータを消去し、ＤＶＤ１５を装填部９から排出する。この場合、書込みしたＡＶデータは、録画再生装置１において再生し、また、他のＤＶＤへの書き込みが可能となる。即ち、「取消」ボタンを選択された場合、録画再生装置１のＨＤＤ７は、ＡＶデータを書き込む前の状態へ戻る。なお、ＤＶＤ１５がＤＶＤ−Ｒで、「取消」ボタンが選択された場合、ＤＶＤ−Ｒは再使用できないディスクとなる。
【００３７】
このように、ＤＶＤ１５の取り出し時に、ユーザに書き込みを取消すか否かを選択させることで、ＤＶＤ１５への書き込みを取り消すことができ、ノイズが混入することでなどＤＶＤ１５に書き込みしたＡＶデータを正常に再生できなくなり、録画再生装置１及びＤＶＤ１５の何れにも正常なＡＶデータが存在しなくなると言った問題を解消できる。
【００３８】
なお、図３及び図４に示す画面は、例えばＲＯＭ３に画像データが記憶されており、斯かる画像データをＣＰＵ２が読み出すことで、テレビ２０の画面に表示される。
【００３９】
次に、ＡＶデータをＨＤＤ７及びＤＶＤ１５から消去する場合について詳述する。
【００４０】
ＨＤＤ７からＡＶデータを消去する場合、ＣＰＵ２によりＨＤＤ７に記録されるＡＶデータを管理するファイルシステムが書き替えられる。ＨＤＤ７には、図示しないが、図２で説明したように、ＡＶデータ記録領域及びＦＳ記録領域が形成される。ＡＶデータ記録領域には、ＡＶデータが記録される。ＦＳ記録領域には、ＡＶデータ記録領域のアドレス及びＡＶデータのタイトル等を管理するファイルシステムが記録される。
【００４１】
ＡＶデータのＤＶＤ１５への書き込みが開始された場合、ＦＳ記録領域に記録されるファイルシステムが書き替えられる。具体的には、ファイルシステム内のＡＶデータのタイトルに付加情報としての「※」が付加される。付加情報「※」が付加されたタイトルのＡＶデータは、図３で説明したように、選択画面にタイトルが表示されず、読み出し不可な状態となる。このとき、ＡＶデータは、見かけ上ＨＤＤ７から消去（以下、一時消去と言う）されたこととなる。
【００４２】
そして、ＤＶＤ１５が取り出されるときに表示される図４の選択画面において、「取消」ボタンが選択され、書き込みが取り消された場合には、ファイルシステムが書き替えられ、タイトルに付加した付加情報「※」が消去される。これにより、ＡＶデータは、図３の選択画面にタイトルが表示され、読み出し可能な状態に復元される。また、「取出」ボタンが選択され、ＤＶＤ１５を排出する場合には、ＦＳ記録領域に記録されているファイルシステムが消去される。ＣＰＵ２は、ファイルシステムにより、ＨＤＤ７の何処に何のＡＶデータが記録されているかを把握することができる。従って、ファイルシステムが消去されることで、ＣＰＵ２は、ＨＤＤ７に記録されたＡＶデータの物理的な位置が把握できなくなり、ＡＶデータにアクセスできなくなる。即ち、ＡＶデータが実質上ＨＤＤ７から消去（以下、完全消去と言う）されたこととなる。
【００４３】
ＤＶＤ１５からＡＶデータを消去する場合、ＤＶＤ１５が書換可能なＤＶＤ−ＲＷであれば、上述したＨＤＤ７と同様に、ＣＰＵ２により、書込部１０から書き込みしたＡＶデータに係るファイルシステムが書き換えられる。例えば、ＣＰＵ２は、ＡＶデータに係る情報を含まないファイルシステムを書き込む。また、ＤＶＤ１５が書換不可能なＤＶＤ−Ｒであれば、ＣＰＵ２によりディスクの最外周にディスク内のタイトル数が「０」である情報を含むファイルシステムを書き込む。
【００４４】
ＤＶＤ１５は、記録されたＡＶデータが録画再生装置１又は他の再生装置により再生される際には、最初にファイルシステムが読み取られる。このため、ファイルシステムを消去又はファイルシステムにＡＶデータのタイトル数が「０」であることを書き込むことで、ＤＶＤ１５に記録されたＡＶデータは再生不可能な状態となる。即ち、ＡＶデータが実質上ＤＶＤ１５から消去されたこととなる。
【００４５】
次に、録画再生装置１の動作について説明する。図５は、録画再生装置１の書込処理のフローチャートを示す図である。書込処理は、装填部９にＤＶＤ１５が装填された場合に、ＣＰＵ２により実行される。
【００４６】
ＣＰＵ２は、装填部９に装填されたＤＶＤ１５の制御情報及びファイルシステムを読み取る（Ｓ１）。次に、ＣＰＵ２は、画像データをＲＯＭ３から読み出して図３で説明した選択画面をテレビ２０の画面に表示し、ＤＶＤ１５に書き込むＡＶデータのタイトルの選択を受け付け（Ｓ２）、書き込みの開始を受け付けたか否かを判定する（Ｓ３）。書き込みの開始を受け付けていない場合（Ｓ３：ＮＯ）、ＣＰＵ２は、書き込みの開始を受け付けるまで待機する。
【００４７】
書き込みの開始を受け付けた場合（Ｓ３：ＹＥＳ）、ＣＰＵ２は、ＤＶＤ１５が書き込み可能であるか否かを判定する（Ｓ４）。即ち、ＣＰＵ２は、Ｓ１で読み取った制御情報からＤＶＤ１５の種類を判断し、ＤＶＤ１５がＤＶＤ−Ｒの場合、空のＤＶＤ−Ｒであるか、また、ＤＶＤ１５がＤＶＤ−ＲＷである場合、空き領域があるか否かを判定する。ＤＶＤ１５が書き込み可能でない場合（Ｓ４：ＮＯ）、ＣＰＵ２は、書き込みできない旨を報知する（Ｓ１５）。例えば、ＣＰＵ２は、テレビ２０の画面に書き込みできないメッセージを表示する。その後、ＣＰＵ２は、装填部９からＤＶＤ１５を排出する（Ｓ１４）。
【００４８】
ＤＶＤ１５が書き込み可能である場合（Ｓ４：ＹＥＳ）、ＣＰＵ２は、ＤＶＤ１５へ、Ｓ２で受け付けたタイトルのＡＶデータの書き込みを開始する（Ｓ５）。そして、ＣＰＵ２は、書き込みを開始したＡＶデータをＨＤＤ７から一時消去する（Ｓ６）。具体的には、ＣＰＵ２は、上述したように、ＡＶデータに係るファイルシステムのタイトルに付加情報「※」を付加する。これにより、斯かるタイトルがＡＶデータを選択する選択画面に表示されなくなり、ＡＶデータの読み出しが禁止される。
【００４９】
続いて、ＣＰＵ２は、ＤＶＤ１５への書き込みが終了したか否かを判定する（Ｓ７）。ＤＶＤ１５への書き込みが終了していない場合（Ｓ７：ＮＯ）、ＣＰＵ２は、Ｓ５に処理を戻す。ＤＶＤ１５への書き込みが終了した場合（Ｓ７:ＹＥＳ）、ＣＰＵ２は、イジェクトＳＷ１２が操作されたか否かを判定する（Ｓ８）。イジェクトＳＷ１２が操作されてない場合（Ｓ８：ＮＯ）、操作されるまで待機する。このとき、ユーザは、ＤＶＤ１５に書き込まれたＡＶデータを再生し、正常に書き込まれたか否かを確認することができる。イジェクトＳＷ１２が操作された場合（Ｓ８：ＹＥＳ）、ＣＰＵ２は、画像データをＲＯＭ３から読み出して図４に示す選択画面をテレビ２０の画面に表示する（Ｓ９）。
【００５０】
次に、ＣＰＵ２は、選択画面において、「取消」ボタンが選択されたか否かを判定する（Ｓ１０）。「取消」ボタンが選択された場合（Ｓ１０：ＹＥＳ）、ＣＰＵ２は、ＡＶデータに係るファイルシステムのタイトルに付加した「※」を削除することで、Ｓ６で一時消去したＡＶデータを復元する（Ｓ１１）。これにより、削除して選択不可能であったタイトルがＡＶデータを選択する選択画面に表示されるようになる。そして、ＣＰＵ２は、ＤＶＤ１５へ書き込みしたＡＶデータをＤＶＤ１５から消去する（Ｓ１２）。即ち、ＣＰＵ２は、ＤＶＤ１５のＦＳ記録領域にファイルシステムの書き込みをし、ＤＶＤ１５に記録されたＡＶデータを読み出し不可にする。その後、ＣＰＵ２は、装填部９からＤＶＤ１５を排出し（Ｓ１４）、本処理を終了する。
【００５１】
なお、Ｓ１０で「取消」ボタンが選択された場合、書き込みが取消されるが、ＤＶＤ１５がＤＶＤ−ＲＷの場合には、Ｓ１４でＤＶＤ１５を排出しないようにしてもよい。ＤＶＤ−ＲＷであればデータの上書きが可能であるため、ＤＶＤ１５を再度装填し直す必要がなく、データの書き込みを続行することができる。
【００５２】
一方、「取消」ボタンが選択されていない場合（Ｓ１０：ＮＯ）、即ち、選択画面で「取出」ボタンが選択された場合、ＣＰＵ２は、ＤＶＤ１５への書き込みを取消さず、ＡＶデータをＨＤＤ７から完全消去する（Ｓ１３）。具体的には、ＣＰＵ２は、ＨＤＤ７のファイルシステムを消去する。その後、ＣＰＵ２は、装填部９からＤＶＤ１５を排出し（Ｓ１４）、本処理を終了する。
【００５３】
以上説明したように、本実施の形態では、ＤＶＤ１５の取り出し時に、ユーザに書き込みを取消すか否かを選択させることで、ＤＶＤ１５への書き込みを取り消すことができ、ノイズが混入し正常に再生できないなどＤＶＤ１５への書き込みに失敗し、録画再生装置１及びＤＶＤ１５の何れにも正常なＡＶデータが存在しなくなると言った問題を解消できる。
【００５４】
（第２の実施形態）
次に、本発明の第２の実施の形態について説明する。第１の実施の形態では、途中で異常終了することなくＡＶデータの書き込みが終了した場合について説明したが、本実施の形態では、異常終了し、全ＡＶデータの書き込みが完了していない場合について説明する。以下、第１の実施の形態との相違点についてのみ説明する。
【００５５】
図６（ａ）は、ＨＤＤ７に形成される記録領域を示す模式図であり、（ｂ）は、書き込みが中断する場合に格納されるアドレス値の遷移を示す図である。
【００５６】
本実施の形態に係るＨＤＤ７には、ＦＳ記録領域、α領域、及びＡＶデータ記録領域が形成される。ＡＶデータ記録領域には、ＡＶデータが記録される。ＦＳ記録領域には、ＡＶデータ記録領域のアドレス及びＡＶデータのタイトル等を管理するファイルシステムが記録される。α領域には、ＨＤＤ７内のアドレスが格納される。なお、以下の説明において、ＡＶデータは、ＨＤＤ７のアドレス「５０００」〜「８０００」のＡＶデータ記録領域に記録されているものとする。
【００５７】
ＤＶＤ１５に書き込みされていないＡＶデータの場合、デフォルト値として、ＦＳ記録領域のファイルシステムには、ＡＶデータ記録領域のスタートアドレス「５０００」が格納され、α領域には、ＡＶデータ記録領域のアドレスと重複しない値「５０」が格納される（図６（ｂ）上段）。書き込みが開始され、書き込みが中断することなく、ＡＶデータがＤＶＤ１５に書き込まれた場合、ＦＳ記録領域及びα領域は、デフォルト値から遷移することはない。
【００５８】
書き込みが開始され、何らかの異常により、ＡＶデータ記録領域のアドレス「６５００」で書き込みが終了した場合、ＦＳ記録領域のファイルシステムには、中断した際のアドレス「６５００」がＡＶデータ記録領域のスタートアドレスとして格納され、α領域には、ＡＶデータ記録領域のスタートアドレス「５０００」が格納される（図６（ｂ）中段）。なお、アドレス「６５００」で書き込みが終了した場合は、アドレス「５０００」〜「６５００」のＡＶデータ記録領域に記録されたＡＶデータは、ＤＶＤ１５に書き込まれている。
【００５９】
図４に示す選択画面において、「取出」ボタンが選択され、書き込みを取消さない場合、ＦＳ記録領域のファイルシステムには、中断した際のアドレス「６５００」が格納され、α領域には、デフォルト値「５０」が格納される（図６（ｂ）下段）。この場合、ＡＶデータは、アドレス「６５００」〜「８０００」のＡＶデータ記録領域に記録されているものとされる。即ち、アドレス「５０００」〜「６５００」のＡＶデータ記録領域に記録されていたＡＶデータは、復元できず、録画再生装置１において再生し、また、他のＤＶＤ１５に書き込むことができなくなる。また、「取消」ボタンが選択され、書き込みを取消す場合、ＦＳ記録領域のファイルシステムには、α領域に格納されたＡＶデータ記録領域のスタートアドレス「５０００」が格納され、α領域は、デフォルト値「５０」に戻される。
【００６０】
なお、書き込みが開始された場合、第１の実施の形態で説明したように、ＡＶデータの読み出しを禁止するために、ファイルシステム内のＡＶデータのタイトルに付加情報「※」が付加され、ＡＶデータが一時消去される。
【００６１】
次に、本実施の形態に係る録画再生装置１の動作について説明する。図７は、録画再生装置１の書込処理のフローチャートを示す図である。なお、図７のＳ２１からＳ２９及びＳ３９は、第１の実施の形態のおける図５のＳ１からＳ９及びＳ１５と同じ動作であるため説明は省略する。
【００６２】
Ｓ３０において、ＣＰＵ２は、Ｓ２９で表示した選択画面において、「取消」ボタンが選択されたか否かを判定する（Ｓ３０）。「取消」ボタンが選択された場合（Ｓ３０：ＹＥＳ）、ＣＰＵ２は、α領域にデフォルト値が格納されているか否かを判定する（Ｓ３１）。α領域にデフォルト値が格納されている場合（Ｓ３１：ＹＥＳ）、ＣＰＵ２は、中断することなくＡＶデータがＤＶＤ１５に書き込まれていると判断し、ＣＰＵ２は、Ｓ２６で一時消去したＡＶデータを復元し（Ｓ３３）、書き込みしたＡＶデータをＤＶＤ１５から消去する（Ｓ３４）。具体的には、ＣＰＵ２は、ＡＶデータに係るファイルシステムのタイトルに付加した「※」を削除する。これにより、タイトルがＡＶデータを選択する選択画面に表示されるようになる。また、ＣＰＵ２は、ＤＶＤ１５のＦＳ記録領域にファイルシステムの書き込みをし、ＤＶＤ１５に記録されたＡＶデータを読み出し不可にする。その後、ＣＰＵ２は、装填部９からＤＶＤ１５を排出し（Ｓ３５）、本処理を終了する。
【００６３】
一方、α領域にデフォルト値が格納されていない場合（Ｓ３１：ＮＯ）、ＣＰＵ２は、ＤＶＤ１５へのＡＶデータの書き込みが中断したと判断し、ＦＳ記録領域及びα領域のアドレス値を更新する（Ｓ３２）。例えば、図６で説明したように、ＨＤＤ７のアドレス「５０００」〜「８０００」のＡＶデータ記録領域に記録され、アドレス「６５００」で書き込みが終了した場合、ＦＳ記録領域のファイルシステムには、中断した際のアドレス「６５００」が格納され、α領域には、ＡＶデータのスタートアドレス「５０００」が格納されている。ＣＰＵ２は、ＡＶデータを復元するために、ＦＳ記録領域のファイルシステムに、α領域に格納されたＡＶデータ記録領域のスタートアドレス「５０００」を格納し、α領域にデフォルト値に戻す。これにより、以降ＣＰＵ２は、スタートアドレス「５０００」からＡＶデータを読み出すため、ＡＶデータを完全に復元できる。その後、ＣＰＵ２は、Ｓ２６で一時消去したＡＶデータを復元し（Ｓ３３）、書き込みしたＡＶデータをＤＶＤ１５から消去する（Ｓ３４）。
【００６４】
また、「取消」ボタンが選択されていない場合（Ｓ３０：ＮＯ）、即ち、選択画面で「取出」ボタンが選択された場合、ＣＰＵ２は、α領域にデフォルト値が格納されているか否かを判定する（Ｓ３６）。α領域にデフォルト値が格納されている場合（Ｓ３６：ＹＥＳ）、ＣＰＵ２は、中断することなくＡＶデータがＤＶＤ１５に書き込まれていると判断し、ＡＶデータをＨＤＤ７から完全消去する（Ｓ３７）。具体的には、ＣＰＵ２は、ＦＳ記録領域のファイルシステムを消去する。一方、α領域にデフォルト値が格納されていない場合（Ｓ３６：ＮＯ）、ＣＰＵ２は、ＤＶＤ１５へのＡＶデータの書き込みが中断したと判断し、ＦＳ記録領域及びα領域のアドレス値を更新する（Ｓ３８）。
【００６５】
例えば、アドレス「６５００」で書き込みが終了した場合、ＦＳ記録領域のファイルシステムには、中断した際のアドレス「６５００」が格納され、α領域には、ＡＶデータ記録領域のスタートアドレス「５０００」が格納されている。このとき、ＣＰＵ２は、ＦＳ記録領域のファイルシステムに、中断した際のアドレス「６５００」をＡＶデータ記録領域のスタートアドレスとして格納し、α領域をデフォルト値に戻す。また、ＣＰＵ２は、ＡＶデータに係るファイルシステムのタイトルに付加した「※」を削除する。これにより、ＡＶデータは、アドレス「６５００」から記憶されているとされ、以降ＣＰＵ２は、スタートアドレス「６５００」からＡＶデータを読み出す。なお、ＤＶＤ１５には、アドレス「５０００」〜「６５００」までに記憶されたＡＶデータが記録されている。従って、一つのＡＶデータがＨＤＤ７とＤＶＤ１５とに分割して記録されている。その後、ＣＰＵ２は、装填部９からＤＶＤ１５を排出し（Ｓ３５）、本処理を終了する。
【００６６】
以上説明したように、本実施の形態では、ＡＶデータの書き込みが中断した場合であっても、書き込みが実行されたデータを消去し、書き込みが未実行のデータを読み出し可能に復元することにより、書き込みできなかったデータのみ復元することができる。即ち、書き込みが中断した場合であっても、一つのＡＶデータをＨＤＤ７とＤＶＤ１５とに分割して記録することができ、ＡＶデータが再生できなくなるおそれを低減できる。
【００６７】
なお、上述の実施の形態では、番組コンテンツは著作権保護がなされており、ＡＶデータは１回のみＤＶＤ１５に書き込み可能としているが、規定回数（例えば、１０回）書き込み可能としてもよい。この場合、ＤＶＤ１５への書き込みが１０回目の場合に、上述の実施の形態のようにＡＶデータのＨＤＤ７からの消去等がなされる。
【００６８】
また、上述の実施の形態では、ＡＶデータを記録する記録媒体をＤＶＤとしているが、ＣＤ及びＭＯ（Magneto-Optical Disc）などであってもよい。また、書き込みしたＡＶデータを読み出し不可とするために、システムファイルのタイトルに付加情報としての「※」を付加する処理を行っているが、他の処理、例えばフラグを立てるようにしてもよい。
【００６９】
さらに、本発明は、上述の録画再生装置の実機の他、録画再生装置の実機の動作をパーソナルコンピュータとして擬似的に実行するようなコンピュータプログラムにおいても、本発明を適用してすることができる。
【００７０】
以上、本発明の好適な実施の形態について、具体的に説明したが、各構成及び動作等は適宜変更可能であって、上述の実施の形態に限定されることはない。
【図面の簡単な説明】
【００７１】
【図１】本実施の形態に係る録画再生装置の構成を示すブロック図である。
【図２】ＤＶＤの仕組みを説明するための模式図であり、（ａ）は、記録方向を示す図、（ｂ）は、データの記録方法を説明するための図である。
【図３】ＤＶＤに書き込むＡＶデータを選択する選択画面を示す図であり、（ａ）は、ＡＶデータのＤＶＤへの書き込み前、（ｂ）は、書き込み後を示す図である。
【図４】ＡＶデータの書き込みを取消すか否かの選択画面を示す図である。
【図５】録画再生装置の書込処理のフローチャートを示す図である。
【図６】（ａ）は、ＨＤＤに形成される記録領域を示す模式図であり、（ｂ）は、書き込みが中断する場合に格納されるアドレス値の遷移を示す図である。
【図７】録画再生装置の書込処理のフローチャートを示す図である。
【符号の説明】
【００７２】
１    録画再生装置
２    ＣＰＵ
３    ＲＯＭ
４    ＲＡＭ
５    チューナ
６    信号処理部
７    ＨＤＤ
【図１】
0004948433.tif 000002
【図２】
0004948433.tif 000003
【図３】
0004948433.tif 000004
【図４】
0004948433.tif 000005
【図５】
0004948433.tif 000006
【図６】
0004948433.tif 000007
【図７】
0004948433.tif 000008